(57)【要約】【課題】  映像を鮮明に表示することが可能な映像表示装置およびその駆動方法を提供すること。【解決手段】  フレームを１単位とする周期的なシリアル信号からなる映像信号が映像表示装置に入力されると、上記フレームの周波数に基づいて走査周波数を設定し、上記フレームごとの表示を上記走査周波数で順次繰り返すことにより、上記映像信号に応じた映像を表示面に表示させる映像表示装置の駆動方法であって、上記走査周波数は、上記フレーム周波数の２以上の整数倍である。【選択図】  図４
2006098704.tif 000002
【特許請求の範囲】
【請求項１】
フレームを１単位とする周期的なシリアル信号からなる映像信号が映像表示装置に入力されると、
上記フレームの周波数に基づいて走査周波数を設定し、
上記フレームごとの表示を上記走査周波数で順次繰り返すことにより、
上記映像信号に応じた映像を表示面に表示させる映像表示装置の駆動方法であって、
上記走査周波数は、上記フレーム周波数の２以上の整数倍であることを特徴とする、映像表示装置の駆動方法。
【請求項２】
上記各フレームの１周期内においては、上記映像の表示面における同一箇所に対する表示指令のレベルは一定である、請求項１に記載の映像表示装置の駆動方法。
【請求項３】
上記映像表示装置は、複数の走査配線と複数のデータ配線と複数のＴＦＴ素子と複数の画素電極と共通電極と上記複数の画素電極および上記共通電極に挟まれた液晶層とを備えたＴＦＴ液晶表示装置であり、
上記走査周波数で上記各走査配線を順次選択し、
上記走査周波数に同期して、上記選択された走査配線に沿って配置された複数の画素電極に上記表示指令としての表示信号電圧を印加する、請求項２に記載の映像表示装置の駆動方法。
【請求項４】
上記表示信号電圧を上記走査周波数で印加するごとに、上記表示信号電圧の極性を反転させる、請求項３に記載の映像表示装置の駆動方法。
【請求項５】
フレームを１単位とする周期的なシリアル信号からなる映像信号が映像表示装置に入力されると、
上記フレームの周波数に基づいて走査周波数が設定され、
上記フレームごとの表示が上記走査周波数で順次繰り返されることにより、
上記映像信号に応じた映像を表示面に表示させることが可能とされた映像表示装置であって、
上記走査周波数は、上記フレーム周波数の２以上の整数倍であることを特徴とする、映像表示装置。
【請求項６】
上記各フレームの１周期内においては、上記映像の表示面における同一箇所に対する表示指令のレベルは一定である、請求項５に記載の映像表示装置。
【請求項７】
上記映像表示装置は、複数の走査配線と、上記複数の走査配線と交差する複数のデータ配線と、上記複数の走査配線と上記複数のデータ配線との交差部にそれぞれが配置された複数のＴＦＴ素子と、上記複数のＴＦＴ素子を介して上記複数のデータ配線に導通する複数の画素電極と、上記複数の画素電極と対向する共通電極と、上記複数の画素電極および上記共通電極に挟まれた液晶層とを備えたＴＦＴ液晶表示装置であり、
上記走査周波数で上記各走査配線が順次選択され、
上記走査周波数に同期して、上記選択された走査配線に沿って配置された上記複数の画素電極に上記複数のデータ配線から上記表示指令としての表示信号電圧が印加され、
上記液晶層の各部の偏光状態が順次調節されることにより、
上記映像信号に応じた映像を表示可能とされている、請求項６に記載の映像表示装置。
【請求項８】
上記表示信号電圧が上記走査周波数で印加されるごとに、上記表示信号電圧の極性が反転される、請求項７に記載の映像表示装置。
【発明の詳細な説明】
【技術分野】
【０００１】
本発明は、映像表示装置およびその駆動方法に係り、特にＴＦＴ液晶表示装置およびその駆動方法についての技術に関する。
【背景技術】
【０００２】
従来の映像表示装置の駆動方法としては、たとえば以下の非特許文献１および非特許文献２に記載されたものがある。図６は、そのような駆動方法により駆動されるＴＦＴ液晶表示装置の一例の等価回路を示している。このＴＦＴ液晶表示装置は、複数の走査配線９１と複数のデータ配線９２とが互いに交差するように配置されている。これらの交点には、ＴＦＴ素子９３とこれに導通する画素電極９４とが形成されている。画素電極９４と対向する位置には、共通電極（図示略）が設けられている。画素電極９４と上記共通電極との間には、液晶層（図示略）が介在する。
【０００３】
図７は、図６に示されたＴＦＴ液晶表示装置の駆動方法の一例を表すタイミングチャートである。上記ＴＦＴ液晶表示装置に入力される映像信号は、表示データ信号と同期信号とを含んでおり、フレームを一単位とする周期的なシリアル信号である。上記同期信号にしたがって、上記複数の走査配線をフレーム周期Ｐｆで順次選択する。上記走査配線の選択は、走査信号電圧Ｖｇを印加することにより行う。上記選択された走査配線に沿って配置された複数のＴＦＴ素子は、開状態となる。これに同期して、上記複数の信号配線のそれぞれには、上記表示データ信号に応じた表示信号電圧Ｖｓを印加する。これにより、各画素電極に表示信号電圧Ｖｓが印加される。上記画素電極と上記共通電極とは、画素容量を形成している。表示信号電圧Ｖｓは、上記画素容量において、画素電圧Ｖｐとして保持される。上記液晶層は、画素電圧Ｖｐの大きさによってその偏光状態が調節される。このように走査信号電圧Ｖｇおよび表示信号電圧Ｖｓの印加をフレーム周期Ｐｆごとに順次繰り返すことにより、上記映像信号に応じた映像を表示することができる。
【０００４】
しかしながら、上記画素容量に保持された電気エネルギーは、リーク電流として漏れることが避けられない。このため、画素電圧Ｖｐは、フレーム周期Ｐｆ中に徐々に低下する。この低下電圧Ｖｄの分だけ、上記液晶層の偏光状態が変化してしまう。上記液晶層の偏光状態が所定の状態に保持できないと、映像表示の色合いが損なわれることとなり、上記映像の品質が低下するという問題がある。
【０００５】
低下電圧Ｖｄを小さくする手段として、図６に示すように、蓄電容量９５および蓄電配線９６を備えている。つまり、蓄電容量９５に電気エネルギーを蓄えることにより、上記画素容量から電気エネルギーが放出されることを補償して、低下電圧Ｖｄを小さくする構成とされている。しかしながら、蓄電容量９５を備えるためには蓄電配線９６を備えることが必要となる。蓄電配線９６が大きいほど、このＴＦＴ液晶表示装置の開口部が遮られ、開口率が低下し映像が暗くなるという不具合がある。
【０００６】
【非特許文献１】鈴木八十二著  「液晶ディスプレイ工学入門」日刊工業新聞社  １９９８
【非特許文献２】松本正一著  「液晶ディスプレイ技術」産業図書  １９９６
【発明の開示】
【発明が解決しようとする課題】
【０００７】
本発明は、上記した事情のもとで考え出されたものであって、映像を鮮明に表示することが可能な映像表示装置およびその駆動方法を提供することをその課題とする。
【課題を解決するための手段】
【０００８】
上記課題を解決するため、本発明では、次の技術的手段を講じている。
【０００９】
本発明の第１の側面によって提供される映像表示装置の駆動方法は、フレームを１単位とする周期的なシリアル信号からなる映像信号が映像表示装置に入力されると、上記フレームの周波数に基づいて走査周波数を設定し、上記フレームごとの表示を上記走査周波数で順次繰り返すことにより、上記映像信号に応じた映像を表示面に表示させる映像表示装置の駆動方法であって、上記走査周波数は、上記フレーム周波数の２以上の整数倍であることを特徴としている。
【００１０】
本発明の好ましい実施の形態においては、上記各フレームの１周期内においては、上記映像の表示面における同一箇所に対する表示指令のレベルは一定である。
【００１１】
このような構成によれば、たとえば上記フレーム周波数で上記フレームごとの表示を行う構成と比べて、上記フレームごとの表示をより高い頻度で行うことができる。
【００１２】
本発明の好ましい実施の形態においては、上記映像表示装置は、複数の走査配線と複数の信号配線と複数のＴＦＴ素子と複数の画素電極と共通電極と上記複数の画素電極および上記共通電極に挟まれた液晶層とを備えたＴＦＴ液晶表示装置であり、上記走査周波数で上記各走査配線を順次選択し、上記走査周波数に同期して、上記選択された走査配線に沿って配置された複数の画素電極に上記表示指令としての信号電圧を印加する。このような構成によれば、画素電極に保持される画素電圧の低下を抑制することができる。したがって、映像の色合いが損なわれることを回避して、この映像を鮮明に表示するのに好適である。
【００１３】
本発明の好ましい実施の形態においては、上記表示信号電圧の極性を、上記走査周波数で印加するごとに反転させる。このような構成によれば、上記液晶層の劣化を防止するのに適している。
【００１４】
本発明の第２の側面によって提供される映像表示装置は、フレームを１単位とする周期的なシリアル信号からなる映像信号が映像表示装置に入力されると、上記フレームの周波数に基づいて走査周波数が設定され、上記フレームごとの表示が上記走査周波数で順次繰り返されることにより、上記映像信号に応じた映像を表示面に表示させることが可能とされた映像表示装置であって、上記走査周波数は、上記フレーム周波数の２以上の整数倍であることを特徴としている。
【００１５】
本発明の好ましい実施の形態においては、上記各フレームの１周期内においては、上記映像の表示面における同一箇所に対する表示指令のレベルは一定である。
【００１６】
本発明の好ましい実施の形態においては、上記映像表示装置は、複数の走査配線と、上記複数の走査配線と交差する複数の信号配線と、上記複数の走査配線と上記複数の信号配線との交差部にそれぞれが配置された複数のＴＦＴ素子と、上記複数のＴＦＴ素子を介して上記複数の信号配線に導通する複数の画素電極と、上記複数の画素電極と対向する共通電極と、上記複数の画素電極および上記共通電極に挟まれた液晶層とを備えたＴＦＴ液晶表示装置であり、上記走査周波数で上記各走査配線が順次選択され、上記走査周波数に同期して、上記選択された走査配線に沿って配置された上記複数の画素電極に上記複数の信号配線から上記表示指令としての信号電圧が印加され、上記液晶層の各部の偏光状態が調節されることにより、上記映像信号に応じた映像を表示可能とされている。このような構成によれば、画素電圧の低下を抑制することができる。これにより、たとえば、画素電圧の低下を補償するための蓄電容量を小さくし、あるいは不要とすることが可能である。したがって、上記画素電極のうち蓄電配線などにより覆われる部分が小さくなる。このため、このＴＦＴ液晶表示装置の開口率を向上し、映像の鮮明化をさらに図ることができる。
【００１７】
本発明の好ましい実施の形態においては、上記表示信号電圧の極性は、上記走査周波数で印加されるごとに反転される。このような構成によれば、上記液晶層の劣化を防止するのに適している。
【００１８】
本発明のその他の特徴および利点は、添付図面を参照して以下に行う詳細な説明によって、より明らかとなろう。
【発明を実施するための最良の形態】
【００１９】
以下、本発明の好ましい実施の形態につき、図面を参照して具体的に説明する。
【００２０】
図１および図２は、本発明に係るＴＦＴ液晶表示装置の一例を示している。図１に示すように、ＴＦＴ液晶表示装置Ａは、ＴＦＴ基板１Ａ、対向基板１Ｂ、ＴＦＴ素子３、画素電極４Ａ、共通電極４Ｂ、および液晶層５１を具備している。なお、図２においては、対向基板１Ｂ、液晶層５１などを省略して表している。
【００２１】
ＴＦＴ基板１Ａは、たとえば透明なガラス製である。ＴＦＴ基板１Ａ上には、複数のＴＦＴ素子３がマトリクス状に配置されている。
【００２２】
ＴＦＴ素子３は、ゲート電極３１、ドレイン電極３２、ソース電極３３、および半導体層３４からなる。ＴＦＴ素子３は、ゲート電極３１に所定の電圧が印加されると開状態となり、半導体層３４を介してドレイン電極３２とソース電極３３とが導通状態となるものである。
【００２３】
ゲート電極３１は、図２に示す走査配線２１に導通している。ドレイン電極３２は、データ配線２２に導通している。ソース電極３３は、画素電極４Ａに導通している。ゲート電極３１、ドレイン電極３２、およびソース電極３３は、たとえば、アルミニウム、タンタル、タングステンなどの金属薄膜に対してフォトリソ法を用いたエッチングを施すことにより形成されている。
【００２４】
図１に示す半導体層３４は、絶縁層５４を挟んでゲート電極３１と対向するように配置されている。半導体層３４は、ＣＶＤ法により形成された非晶質シリコン（ａ−Ｓｉ）または多結晶シリコン（Ｐｏｌｙ−Ｓｉ）の薄膜である。絶縁層５４は、半導体層３４とゲート電極３１とを絶縁するためのものであり、たとえばＳｉＯ2やＳｉＮ4などにより形成されている。
【００２５】
画素電極４Ａは、液晶層５１の偏光状態を切り替えるために電圧を印加するためのものであり、透明電極（ＩＴＯ）として形成されている。画素電極４Ａには、ＴＦＴ素子３のスイッチング機能により、その画素の表示レベルに応じた電圧がソース電極３３を介して印加される。
【００２６】
対向基板１Ｂは、ＴＦＴ基板１Ａと対向するように設けられており、たとえば透明なガラス製である。対向基板１Ｂには、共通電極４Ｂおよび配光膜５２Ｂが形成されている。
【００２７】
液晶層５１は、ＴＦＴ基板１Ａおよび対向基板１Ｂ間にネマチック液晶などの液晶材料が充填されたものである。液晶層５１の所定部分の偏光状態が上記映像に応じて調節される。これにより、液晶層５１を透過する光の強度が調節されることとなり、ＴＦＴ液晶表示装置Ａの映像表示が実現される。
【００２８】
配光膜５２Ａ，５２Ｂは、液晶層５１の液晶材料に混入された液晶分子を一方向に並べるためのものであり、ラビング処理などの配光処理が施されている。配光膜５２Ａ，５２Ｂは、たとえば、ポリイミド樹脂を用いて薄膜として形成されている。
【００２９】
偏光板５５Ａ，５５Ｂは、それぞれＴＦＴ基板１Ａおよび対向基板１Ｂの外側面に設けられている。偏光板５５Ａ，５５Ｂは、互いの偏光方向が直交する配置とされている。
【００３０】
ＴＦＴ基板１Ａ上には、図２に示すように、複数の走査配線２１と複数のデータ配線２２とが、互いに直交するように形成されている。
【００３１】
各走査配線２１には、複数のゲート電極３１が導通している。複数の走査配線２１は、後述するように走査信号電圧が印加された選択状態と、上記走査信号電圧が印加されない非選択状態とにおかれる。これらの選択状態および非選択状態を切り替えることにより、ＴＦＴ素子３のスイッチング機能が実現される。
【００３２】
複数のデータ配線２２は、後述するように表示信号電圧が印加される。この信号表示電圧は、開状態とされたＴＦＴ素子３を介して画素電極４Ａへと印加される。
【００３３】
蓄電配線２３は、画素電極４Ａを横断しており、図１に示すように、絶縁層５４を挟んで画素電極４Ａに対向するように形成されている。図２において斜線で示された部分は、蓄電容量Ｃｓを形成する部分である。蓄電容量Ｃｓは、画素電極４Ａに上記表示信号電圧が印加された際に電気エネルギーを蓄えるためのものである。
【００３４】
図３は、ＴＦＴ液晶表示装置Ａのシステム構成を示している。ＴＦＴ液晶表示装置Ａは、上述した複数のＴＦＴ素子３などの表示部に加えて、走査ドライバＩＣ６１、データドライバＩＣ６２、表示データ信号処理ＩＣ６３、および同期信号処理ＩＣ６４を具備している。映像信号Ｓは、ＴＦＴ液晶表示装置Ａに表示させる映像が、表示データ信号Ｓｄと同期信号Ｓｓとからなるシリアル信号に変換されたものである。
【００３５】
同期信号処理ＩＣ６４には、映像信号Ｓに含まれる同期信号Ｓｓが入力される。同期信号Ｓｓのフレーム周波数に基づいて、同期信号処理ＩＣ６４により走査周波数が設定される。本実施形態においては、上記走査周波数は、上記フレーム周波数の３倍とされている。同期信号処理ＩＣ６４からは、表示データ信号処理ＩＣ６３、走査ドライバＩＣ６１、およびデータドライバＩＣ６２へと制御信号Ｓｃが送信される。制御信号Ｓｃは、上記走査周波数で同期を図るための信号である。
【００３６】
表示データ信号処理ＩＣ６３には、表示データ信号Ｓｄと制御信号Ｓｃとが入力される。表示データ信号Ｓｄは、各画素に表示させる階調がデジタル形式またはアナログ形式などにより電気信号に変換されたものであり、上記フレーム周波数を有する周期的なシリアル信号である。表示データ信号処理ＩＣ６３は、制御信号Ｓｃを上記走査周波数を有する表示データ信号Ｓｄ’へと変調する。表示データ信号Ｓｄ’は、表示データ信号処理ＩＣ６３からデータドライバＩＣ６２へと送信される。
【００３７】
走査ドライバＩＣ６１は、複数の走査配線２１を順次選択するものである。走査ドライバＩＣ６１には、制御信号Ｓｃが入力され、上記走査周波数で複数の走査配線２１に走査信号電圧を順次印加する。これにより、各走査配線２１に沿って配置されたＴＦＴ素子３は、順次開状態とされる。
【００３８】
データトライバＩＣ６２は、表示データ信号Ｓｄ’に応じた表示信号電圧を上記走査周波数に同期して各データ配線２２に印加するものである。複数のＴＦＴ素子３のうち、開状態となったものを介して、上記表示信号電圧を各画素電極４Ａへと印加させることができる。
【００３９】
次に、本発明に係るＴＦＴ液晶表示装置の駆動方法を、図４を参照しつつ、以下に説明する。本図は、図３に示したＴＦＴ素子３および画素電極４Ａを備えた構成において、そのうちの一組のＴＦＴ素子３および画素電極４Ａに対する駆動を表している。
【００４０】
走査信号電圧Ｖｇは、走査配線２１に印加されるものであり、非選択時である基準電圧ＧＮＤと、選択時である選択電圧Ｖonとの状態をとる。本駆動方法においては、走査信号電圧Ｖｇを走査周期Ｐｇごとに時間τだけ選択電圧Ｖonとし、それ以外の時間は基準電圧ＧＮＤとする。これにより、この画素電極４Ａは、時間τの間だけ電圧を印加されることが可能となる。本実施形態においては、走査周期Ｐｇは、フレーム周期Ｐｆの１／３となっている。これは、上述したように上記走査周波数が上記フレーム周波数の３倍とされていることに対応している。
【００４１】
表示信号電圧Ｖｓは、データ配線２２に印加されるものであり、コモン電圧Ｖcomを０として、正負の任意の大きさをとる。表示信号電圧Ｖｓとコモン電圧Ｖcomとの差の絶対値が、この画素の表示レベルに相当する。表示信号電圧Ｖｓは、走査周期Ｐｇ内に各画素電極４Ａの表示レベルに応じた大きさをとる。本実施形態においては、同一の画素電極４Ａに対して、フレーム周期Ｐｆ内に表示信号電圧Ｖｓを走査周期Ｐｇで３回印加する。
【００４２】
フレーム周期Ｐｆ内においては、各回の表示信号電圧Ｖｓのコモン電圧Ｖcomとの差の絶対値を一定とする。また、画素電極４Ａに表示信号電圧Ｖｓを印加すると、走査周期Ｐｇ後の次回の印加時には、コモン電圧Ｖcomを０とした場合の極性を反転して表示信号電圧Ｖｓを印加する。
【００４３】
画素電圧Ｖｐは、所定の大きさの走査電圧Ｖｇに同期して表示信号電圧Ｖｓが印加されると、表示信号電圧Ｖｓの大きさに応じて、画素容量に保持される電圧である。画素電圧Ｖｐが所望の大きさとなるように、表示信号電圧Ｖｓを印加すると、画素電圧Ｖｐの大きさに応じて液晶層５１の偏光状態を調節することができる。上述した表示信号電圧Ｖｓの印加方法にしたがい、フレーム周期Ｐｆ内においては、画素電圧Ｖｐは、走査周期Ｐｇを周期とする３つピークを有するパルス波形となる。このパルス波形の各立ち上がり部は、フレーム周期Ｐｆ内においてほぼ一定の絶対値に向けて立ち上がり、かつ交互に極性が反転させられている。走査電圧Ｖｇが印加されていない非選択時には、画素電圧Ｖｐは、走査周期Ｐｇの長さに応じてリーク電流により低下電圧Ｖｄだけ小さくなる。
【００４４】
このように、走査配線２１の選択および表示信号電圧Ｖｓの印加を走査周期Ｐｇで互いに同期させて順次行うことにより、映像信号Ｓに応じた映像をＴＦＴ液晶表示装置Ａに表示させることができる。
【００４５】
本実施形態によれば、走査周期Ｐｇがフレーム周期Ｐｆの１／３と短いため、低下電圧Ｖｄを小さくすることができる。この低下電圧Ｖｄが小さいほど、液晶層の偏光状態が所定の状態から変化する度合いが少なく、映像の色合いが損なわれにくい。したがって、映像の色合いを適切に保持し、映像を鮮明に表示させることができる。
【００４６】
また、低下電圧Ｖｄが小さいと、図２に示す蓄電容量Ｃｓを小さくすることができる。このため、蓄電配線２３をたとえば細線化することが可能である。したがって、蓄電配線２３により遮られる部分を小さくして、開口率を向上することが可能であり、映像の鮮明化に有利である。さらに、走査周期Ｐｇを短くすれば、蓄電容量を不要とすることも可能である。このような構成においては、蓄電配線２３が不要となるため、開口率の向上に好適である。
【００４７】
図５は、本発明に係るＴＦＴ液晶表示装置の他の実施形態を示している。図示された実施形態においては、画素電極４Ａの一部が走査配線２１の一部と重なっている点が、上述した実施形態と異なっている。画素電極４Ａと走査配線２１とが重なっている部分が、蓄電容量Ｃｓを形成している。このような構成においても、蓄電容量Ｃｓを大きくするには、走査配線２１の太幅化が必要であり、やはり開口率の低下を招くが、本発明の作用により蓄電容量Ｃｓを小さくすることが可能であるために、開口率の低下を回避することができる。
【００４８】
本発明に係る映像表示装置およびその駆動方法は、上述した実施形態に限定されるものではない。本発明に係る映像表示装置およびその駆動方法に関する具体的な構成は、種々に設計変更自在である。
【００４９】
映像表示装置としては、ＴＦＴ液晶表示装置に限定されず、有機ＥＬ表示装置、ＰＤＰ、ＦＥＤなど、フレームを１単位とする周期的なシリアル信号からなる映像信号が入力されて、この映像信号に応じた映像を表示することが可能とされた映像表示装置であればよい。
【００５０】
走査周波数は、フレーム周波数の３倍に限定されず、２以上の整数倍であればよい。この倍数が大きいほど、高い頻度で表示指令を各画素へ与えることが可能となる。
【図面の簡単な説明】
【００５１】
【図１】本発明に係るＴＦＴ液晶表示装置の一例を示す要部断面図である。
【図２】本発明に係るＴＦＴ液晶表示装置の一例を示す要部平面図である。
【図３】本発明に係るＴＦＴ液晶表示装置の一例のシステム構成図である。
【図４】本発明に係るＴＦＴ液晶表示装置の駆動方法の一例を説明するためのタイミングチャートである。
【図５】本発明に係るＴＦＴ液晶表示装置の他の例を示す要部平面図である。
【図６】従来のＴＦＴ液晶表示装置の一例の等価回路図である。
【図７】従来のＴＦＴ液晶表示装置の駆動方法の一例を示すタイミングチャートである。
【符号の説明】
【００５２】
Ａ      ＴＦＴ液晶表示装置
Ｓ      映像信号
Ｓｄ，Ｓｄ’  表示データ信号
Ｓｓ    同期信号
Ｓｃ    制御信号
Ｃｓ    蓄電容量
Ｖｇ    走査信号電圧
Ｖｓ    表示信号電圧（表示指令）
Ｖｐ    画素電圧
Ｖｄ    低下電圧
Ｐｆ    フレーム周期
Ｐｇ    走査周期
１Ａ    ＴＦＴ基板
１Ｂ    対向基板
２１    走査配線
２２    データ配線
２３    蓄電配線
３      ＴＦＴ素子
３１    ゲート電極
３２    ドレイン電極
３３    ソース電極
３４    半導体層
４Ａ    画素電極
４Ｂ    共通電極
５１    液晶層
５２Ａ，５２Ｂ  配向膜
５４    絶縁層
５５Ａ，５５Ｂ  偏光板
６１    走査ドライバＩＣ
６２    データドライバＩＣ
６３    表示データ信号処理ＩＣ
６４    同期信号処理ＩＣ
【図１】
2006098704.tif 000003
【図２】
2006098704.tif 000004
【図３】
2006098704.tif 000005
【図４】
2006098704.tif 000006
【図５】
2006098704.tif 000007
【図６】
2006098704.tif 000008
【図７】
2006098704.tif 000009